(57)【特許請求の範囲】
【請求項１】
直流電源と、前記直流電源からの直流電圧を受けて所定周波数の発振信号を所定間隔毎に供給する発振回路とを備え、ケーブルが有する複数素線のうちで探査対象の２つの素線間、あるいは１つの素線とアースとの間に前記発振回路から発振信号を供給するケーブル素線探査用送信器において、
前記直流電源と前記発振回路との間に前記直流電源からの直流電圧を所定の電圧に昇圧する昇圧回路を設け、
前記発振回路が前記昇圧回路により昇圧された電圧を受けて、前記探査対象の２つの素線間、あるいは１つの素線とアースとの間に発振信号を供給する発振モードと、前記直流電源から前記昇圧回路を介さずにケーブルの検査対象の２つの素線間、あるいは１つの素線とアースとの間に直流電圧を供給して、検査対象の素線の導通チェックを行う導通チェックモードとを切り換える切り換えスイッチを前記直流電源と前記昇圧回路との間に設けるとともに、信号の直流成分を除去するコンデンサを前記発振回路に接続し、前記発振モード時に、前記発振回路より前記コンデンサを介して出力される直流成分の除去された発振信号の供給路と、前記導通チェックモード時に、前記切り換えスイッチを介して前記直流電源から供給される直流電圧の供給路との間に、上記各モードに応じて点灯状態が異なるように、色別された少なくとも２つの発光素子が互いに逆極性となるように並列接続して設けられることを特徴とするケーブル素線探査用送信器。
【請求項２】
前記切り換えスイッチは、前記発振信号の供給路と直流電圧の供給路に、発振信号および直流電圧の供給を行わない非供給モードに切り換えられるように構成されるとともに、前記非供給モード時には前記発振信号の供給路と前記直流電圧の供給路のそれぞれに、外部の配線路からの信号が供給され、その信号に応じて前記各発光素子の点灯状態を異ならせて前記配線路の極性状態を検査することを特徴とする請求項１記載のケーブル素線探査用送信器。
【発明の詳細な説明】
【０００１】
【発明の属する技術分野】
本発明は、ケーブルが有する複数素線のうちで探査対象の素線に所定周波数の信号を送信するケーブル素線探査用送信器に関するものである。
【０００２】
【従来の技術】
従来から、複数の素線を有するケーブルが配線路として敷設されている場合に、ケーブルの任意の箇所で特定の素線を探査するため、送信器から探査対象の素線に所定周波数の信号を送信し、受信器のアンテナを各素線に近接させて所定周波数の信号を受信することで特定の素線を探査するようにされている。
【０００３】
探査対象の素線に所定周波数の信号を送信する送信器として、乾電池などの直流の電源電圧を発振回路に印加し、発振回路より所定周波数の信号を出力している。（例えば、特開平９−２８１１７５号公報参照）
【０００４】
【発明が解決しようとする課題】
上述したケーブル素線探査用送信器にあっては、乾電池などの直流電源の電圧をそのまま発振回路に印加しているので、ケーブルの素線の末端にまで信号が届きにくいという問題がある。また、直流電源の電圧を高くするために容量の大きいものを内蔵すると、送信器自体が大型化してしまうという問題がある。
【０００５】
本発明は上記事由に鑑みて為されたものであり、その目的はケーブルの素線の末端にまで信号が届き易く、かつ小型化が図れるケーブル素線探査用送信器を提供することにある。
【０００６】
【課題を解決するための手段】
上記課題を解決するために請求項１記載の発明では、直流電源と、前記直流電源からの直流電圧を受けて所定周波数の発振信号を所定間隔毎に供給する発振回路とを備え、ケーブルが有する複数素線のうちで探査対象の２つの素線間、あるいは１つの素線とアースとの間に前記発振回路から発振信号を供給するケーブル素線探査用送信器において、前記直流電源と前記発振回路との間に前記直流電源からの直流電圧を所定の電圧に昇圧する昇圧回路を設け、前記発振回路が前記昇圧回路により昇圧された電圧を受けて、前記探査対象の２つの素線間、あるいは１つの素線とアースとの間に発振信号を供給する発振モードと、前記直流電源から前記昇圧回路を介さずにケーブルの検査対象の２つの素線間、あるいは１つの素線とアースとの間に直流電圧を供給して、検査対象の素線の導通チェックを行う導通チェックモードとを切り換える切り換えスイッチを前記直流電源と前記昇圧回路との間に設けるとともに、信号の直流成分を除去するコンデンサを前記発振回路に接続し、前記発振モード時に、前記発振回路より前記コンデンサを介して出力される直流成分の除去された発振信号の供給路と、前記導通チェックモード時に、前記切り換えスイッチを介して前記直流電源から供給される直流電圧の供給路との間に、上記各モードに応じて点灯状態が異なるように、色別された少なくとも２つの発光素子が互いに逆極性となるように並列接続して設けられることを特徴とする。
【０００８】
また、請求項２記載の発明では、請求項１記載のケーブル素線探査用送信器において、前記切り換えスイッチは、前記発振信号の供給路と直流電圧の供給路に、発振信号および直流電圧の供給を行わない非供給モードに切り換えられるように構成されるとともに、前記非供給モード時には前記発振信号の供給路と前記直流電圧の供給路のそれぞれに、外部の配線路からの信号が供給され、その信号に応じて前記各発光素子の点灯状態を異ならせて前記配線路の極性状態を検査することを特徴とする。
【０００９】
【発明の実施の形態】
以下、図面を参照して本発明の実施形態を説明する。図１は本発明のケーブル素線探査用送信器の構成を示す回路図であり、直流電源である両端電圧が９Ｖの電池１の高電位側に、ダイオードＤ１を介して切り換えスイッチ２の共通接点２０が接続されている。切り換えスイッチ２は共通接点２０と切り換え接続される個別接点２１、２２、２３を有しており、共通接点２０と各個別接点２１、２２、２３とが接続されることにより後述する各モードに切り換えられる。
【００１０】
切り換えスイッチ２の個別接点２１は、昇圧回路３を介して、ＮＯＴゲートからなるＩＣ８、ＩＣ１３からＩＣ１７、抵抗Ｒ３から抵抗Ｒ７、コンデンサＣ４、Ｃ５、およびダイオードＤ４、Ｄ５を具備する発振回路７と接続されており、昇圧回路３により昇圧された電圧が発振回路７に供給される。昇圧回路３は、汎用の昇圧ＩＣ４、コンデンサＣ１、Ｃ２、およびダイオードＤ２、Ｄ３により構成されている。
【００１１】
切り換えスイッチ２の共通接点２０が個別接点２１と接続される後述する発振モード（トーンモード）時は、電池１から供給される電圧を昇圧ＩＣ４の信号に基づいてコンデンサＣ１が充放電を繰り返して、コンデンサＣ２に電荷が蓄積される。そして、電池１からの直流電圧にコンデンサＣ２の充電電圧が加えられて、すなわち昇圧されて発振回路７に出力される。尚、昇圧回路３は電池１の直流電圧を所定の電圧に昇圧するものであれば、上記構成に限定されない。
【００１２】
また発振回路７は、昇圧回路３からの昇圧された電圧を受けて、所定周波数の発振信号を所定間隔毎に出力する。その発振信号はコンデンサＣ３により直流成分が除去され、発振信号の供給路Ａを介してコンデンサＣ３に接続された接続端子９より外部に出力される。
【００１３】
また、切り換えスイッチ２の個別接点２３は、抵抗Ｒ２を介してグランド１１、および外部への接続端子１０に接続されている。切り換えスイッチ２の共通接点２０が個別接点２３に接続される導通チェックモード時には、電池１からの直流電圧が個別接点２３と抵抗Ｒ２との接続点である直流電圧の供給路Ｂに供給され、後述するように接続端子９より外部に出力される。
【００１４】
供給路Ａと供給路Ｂの間には、それぞれの発光色が異なり、互いに逆極性となるように並列接続された発光素子であるＬＥＤ５、６と抵抗Ｒ１とが直列に接続されている。すなわち、ＬＥＤ５は供給路Ｂ側にアノードが接続され、ＬＥＤ６は供給路Ｂ側にカソードが接続される。また、接続端子９、１０間には送信器に高電圧が印加されないように回路を保護するサージ吸収素子１２が並列に接続されている。
【００１５】
このように構成されるケーブル素線探査用送信器の外観を図２の斜視図に示す。図２において図１と同じものには同じ符号を付している。ケーブル素線探査用送信器である送信器３０は、そのケース３１内に上述した電池１や、昇圧回路３、発振回路７などの回路が納装されており、ケース３１の側面より導出されているリード線３２や信号線３３を介して上述した発振信号や直流電圧を供給する。
【００１６】
また、リード線３２の先端には外部と接続するための鰐口クリップ３５が、信号線３３の先端にはモジュラープラグ３４が付設されており、必要に応じてモジュラープラグ３４、鰐口クリップ３５を図１で示した接続端子９、１０として用いる。また、２はケース３１の表面に露設されている上述した切り換えスイッチであり、５、６はＬＥＤである。
【００１７】
ところで上述した発振モード時は、この送信器３０より複数素線を有するケーブルの特定の素線に所定周波数の発振信号を送信し、図示せぬ受信器のアンテナを各素線に近接させて、送信器３０より送信された所定周波数の信号を受信することで、ケーブルの任意の箇所で特定の素線を探査するようにしている。ここで、接続端子９、１０を探査する素線を構成する他端が接続された２つの素線の各一端に接続するか、あるいは探査する素線とアース線とに接続することで、上述したように供給路Ａに現れる直流成分の除去された所定周波数の発振信号が探査する素線に供給される。
【００１８】
このように、電池１からの直流電圧を昇圧回路３にて昇圧し、その昇圧された電圧を受けて発振回路７より所定周波数の発振信号をケーブルの探査対象の素線に供給するので、供給される信号のレベルが高くなりケーブルの素線の末端まで信号を届き易くできる。また、発振回路７からの発振信号を昇圧増幅するよう構成して、ケーブルの素線の末端まで信号を届き易くしてもよい。
【００１９】
この発振モード時には、供給路Ａに現れるコンデンサＣ３により直流成分の除去された所定周波数の発振信号に応じて、供給路Ａ→抵抗Ｒ１→ＬＥＤ６→供給路Ｂ→抵抗Ｒ２→グランド１１の順、あるいはグランド１１→抵抗Ｒ２→供給路Ｂ→ＬＥＤ５→抵抗Ｒ１→供給路Ａの順で電流が交互に流れて、ＬＥＤ５、ＬＥＤ６が交互に点滅する。
【００２０】
一方、上述した導通チェックモード時は、検査する素線に直流電圧を供給して、閉回路が形成されているか否かをチェックして素線の導通チェックを行う。このときも上述したように、接続端子９、１０を検査する素線を構成する他端が接続された２つの素線の各一端に接続するか、あるいは検査する素線とアース線とに接続する。
【００２１】
導通チェックモード時に、供給路Ｂに電池１から直流電圧が供給されると、供給路Ｂ→ＬＥＤ５→抵抗Ｒ１→供給路Ａ→接続端子９→検査する素線→接続端子１０→グランド１１の経路で電流が流れ、検査する素線に断線などの異常がないときは、ＬＥＤ５が点灯する。
【００２２】
これにより、ケーブルの素線の導通チェックを行うことができ、導通チェックモード時は、ＬＥＤ５、６が交互に点滅する発振モード時とは異なり、一方のＬＥＤであるＬＥＤ５が点灯するため、発振モード時との区別が容易にできる。また、ＬＥＤ５、ＬＥＤ６の発光色を異なるようにしているので、発振モードと導通チェックモードとを更に容易に区別できる。
【００２３】
また、切り換えスイッチ２の共通接点２０が個別接点２２に接続される非供給モードである極性チェックモード時には、供給路Ａ、供給路Ｂには発振回路７からの発振信号、および電池１からの直流電圧が供給されない。この状態でＩＳＤＮ等の配線路に設けられたモジュラーコンセントに上記接続端子９、１０として用いられるモジュラープラグ３４とを接続すると、配線路の極性に応じてＬＥＤ５、ＬＥＤ６の点灯状態が異なる。
【００２４】
すなわち、接続端子９に配線路の高電位側が接続端子１０に低電位側が接続された場合は、接続端子９→供給路Ａ→抵抗Ｒ１→ＬＥＤ６→供給路Ｂ→抵抗Ｒ２→接続端子１０の順で電流が流れて、ＬＥＤ６が点灯する。また、接続端子１０に配線路の高電位側が接続端子９に低電位側が接続された場合は、接続端子１０→抵抗Ｒ２→供給路Ｂ→ＬＥＤ５→抵抗Ｒ１→供給路Ａ→接続端子９の順で電流が流れてＬＥＤ５が点灯する。
【００２５】
このように、接続端子９、接続端子１０に接続される配線路の極性に応じて、ＬＥＤ５、６の点灯状態が変わるため、その点灯状態から配線路の極性を検査することができる。また、ＬＥＤ５、６の発光色をそれぞれ異なるようにしているので、ＬＥＤ５、６の点灯状態と発光色により容易に極性の判別を行うことができる。
【００２６】
【発明の効果】
本発明の請求項１記載のケーブル素線探査用送信器では、直流電源と、前記直流電源からの直流電圧を受けて所定周波数の発振信号を所定間隔毎に供給する発振回路とを備え、ケーブルが有する複数素線のうちで探査対象の２つの素線間、あるいは１つの素線とアースとの間に前記発振回路から発振信号を供給するケーブル素線探査用送信器において、前記直流電源と前記発振回路との間に前記直流電源からの直流電圧を所定の電圧に昇圧する昇圧回路を設け、前記発振回路が前記昇圧回路により昇圧された電圧を受けて、前記探査対象の２つの素線間、あるいは１つの素線とアースとの間に発振信号を供給する発振モードと、前記直流電源から前記昇圧回路を介さずにケーブルの検査対象の２つの素線間、あるいは１つの素線とアースとの間に直流電圧を供給して、検査対象の素線の導通チェックを行う導通チェックモードとを切り換える切り換えスイッチを前記直流電源と前記昇圧回路との間に設けるとともに、信号の直流成分を除去するコンデンサを前記発振回路に接続し、前記発振モード時に、前記発振回路より前記コンデンサを介して出力される直流成分の除去された発振信号の供給路と、前記導通チェックモード時に、前記切り換えスイッチを介して前記直流電源から供給される直流電圧の供給路との間に、上記各モードに応じて点灯状態が異なるように、色別された少なくとも２つの発光素子が互いに逆極性となるように並列接続して設けられるため、直流電源からの直流電圧を昇圧回路にて昇圧し、その昇圧された電圧を受けて発振回路より所定周波数の発振信号をケーブルの探査対象の素線に供給するので、供給される発振信号のレベルが高くなり、容量の大きい直流電源を用いることなく、ケーブルの素線の末端まで信号を届き易くでき、送信器の小型化が図れる。また、ケーブルの素線の導通チェックができると共に、発振モード時は直流成分の除去された所定周波数の発振信号により、色別され互いに逆極性に設けられた発光素子が交互に点滅し、導通チェックモード時は一方の発光素子のみが点灯するので、発光素子の点灯状態と発光色により、いずれのモードであるかを容易に判別できる。
【００２８】
また、請求項２記載のケーブル素線探査用送信器では、請求項１記載のケーブル素線探査用送信器において、前記切り換えスイッチは、前記発振信号の供給路と直流電圧の供給路に、発振信号および直流電圧の供給を行わない非供給モードに切り換えられるように構成されるとともに、前記非供給モード時には前記発振信号の供給路と前記直流電圧の供給路のそれぞれに、外部の配線路からの信号が供給され、その信号に応じて前記各発光素子の点灯状態を異ならせて前記配線路の極性状態を検査するため、各発光素子の点灯状態と発光色により配線路の極性を容易に検査することができる。
【図面の簡単な説明】
【図１】本発明のケーブル素線探査用送信器の構成を示す回路図である。
【図２】本発明のケーブル素線探査用送信器の外観を示す斜視図である。
【符号の説明】
１    電池
２    切り換えスイッチ
３    昇圧回路
４    昇圧ＩＣ
５    ＬＥＤ
６    ＬＥＤ
７    発振回路
９    接続端子
１０  接続端子
【図１】
0003684889.tif 000002
【図２】
0003684889.tif 000003